(57)【特許請求の範囲】
【請求項１】
所要長さを有する立て具本体と、
当該立て具本体に着脱可能で、釣竿の後端部と先端部の間の適宜箇所を保持するための中間部保持具と、
上記立て具本体に着脱可能で、釣竿の後端部を保持するための端部保持具と、
を備えており、
釣用発信機用の取付台具が着脱可能に取り付けてあることを特徴とする、
釣竿立て具。
【請求項２】
所要長さを有する立て具本体と、当該立て具本体に着脱可能で、釣竿の後端部と先端部の間の適宜箇所を保持するための中間保持具と、上記立て具本体に着脱可能で、釣竿の後端部を保持するための端部保持具とを備えており、上記中間部保持具と端部保持具は、それぞれ釣竿立て具構成部材と釣竿保持具を備えている釣竿立て具に使用される釣竿立て具構成部材であって、
上記立て具本体の所要箇所に固定するための手段と、
上記釣竿保持具を着脱可能に取り付けるための手段と、
釣用発信機用の取付台具を着脱可能に取り付けるための手段と、
を備えていることを特徴とする、
釣竿立て具構成部材。
【発明の詳細な説明】
【０００１】
【発明の属する技術分野】
本発明は釣竿立て具、それに使用する釣竿立て具構成部材に関するものである。
更に詳しくは、魚が掛かったときなど釣竿を操作する際に釣用発信機が邪魔になることがなく、釣用発信機を取り付けるために釣竿自体に加工を施したり取着補助具を固着する必要がなく、必要に応じて保持する釣竿の大きさや種類に合った受具に取り替えることができ、風が強いときでも釣竿がガタついたり受具内で転がったりすることがなく、釣竿立て具に取り付けてある釣用発信機の調整が狂ってしまうことがない、釣竿立て具、それに使用する釣竿立て具構成部材に関する。
【０００２】
【従来技術】
例えば、夜間の釣りにおいては、一人の釣人が複数の釣竿を仕掛けることがあり、これら複数の釣竿のうち、どの釣竿に魚が掛かったかを報知することができる釣用発信機（例えば、特開平１０−１５０８９８号公報記載のもの）が従来より使用されている。
釣用発信機は、通常、釣竿に取り付けてあるスピニングリールから引き出した釣糸を発信スイッチを作動させる部分に引っ掛けて取り付ける構造となっており、リールシートと呼ばれる固定手段等により釣竿に取り付けてある。
【０００３】
また、釣竿を複数仕掛ける際には、通常、釣竿を保持するための釣竿立て具が使用されている。釣竿立て具は、地面に突き刺したり据え付けたりして固定するようになっている。釣竿立て具は、釣竿の大きさや種類に合った、例えばＵ字状の受具を備えている。受具は立て具本体に固着されており、釣竿は受具に載置または嵌合することにより保持される。
【０００４】
【発明が解決しようとする課題】
しかし、上記のようにして釣用発信機を釣竿に取り付ける場合、次のような課題があった。
（ａ）釣竿に釣用発信機を取り付けると、魚が掛かったときなど釣竿を操作する際に邪魔になり、作業性が著しく悪くなる。
（ｂ）釣用発信機を釣竿に取り付けるには、実際上は上記したリールシートの他に様々な構造の取着補助具が使用される。このため、釣竿自体に加工を施したり取着補助具を固着する必要があり、釣竿を傷付けてしまうことがあった。
【０００５】
（ｃ）釣竿立て具の受具は立て具本体に固着されているので、立て具本体をそのままにして受具のみを取り替えることはできない。従って、大きさや種類が異なる様々な釣竿を使用するには、受具が異なる何種類もの釣竿立て具を予め用意しておく必要があり、嵩張るので運搬に不便であり、実際的ではなかった。
【０００６】
（ｄ）受具は釣竿を載置または嵌合して保持するだけで、特に固定するようにはなっていない。従って、風が強いとき等は、釣竿がガタついたり受具内で転がったりするので、釣用発信機が釣竿立て具に取り付けてある場合、微妙な感度調整を必要とする釣用発信機の調整が狂ってしまうことがある。これでは、魚が掛かっているのに発信しなかったり、魚でなく草等が引っかかっても発信する等、誤作動を起こす可能性があり、実用上問題があった。
【０００７】
（本発明の目的）
本発明は上記課題を解消するもので、
第１の目的は、魚が掛かったときなど釣竿を操作する際に釣用発信機が邪魔になることがなく、作業性を向上させることができる釣竿立て具、それに使用する釣竿立て具構成部材を提供することである。
第２の目的は、釣用発信機を取り付けるために、釣竿自体に加工を施したり取着補助具を固着する必要がなく、これにより釣竿を傷付けてしまうことを防止できる釣竿立て具、それに使用する釣竿立て具構成部材を提供することである。
【０００８】
第３の目的は、必要に応じて保持する釣竿の大きさや種類に合った受具に取り替えることができる釣竿立て具、それに使用する釣竿立て具構成部材を提供することである。
第４の目的は、受具で釣竿を固定できるようにして、風が強いときでも、釣竿がガタついたり受具内で転がったりすることがなく、釣用発信機が釣竿立て具に取り付けてある場合、釣用発信機の調整が狂ってしまうことがない釣竿立て具、それに使用する釣竿立て具構成部材を提供することである。
【０００９】
【課題を解決するための手段】
上記目的を達成するために講じた本発明の手段は次のとおりである。
第１の発明にあっては、
所要長さを有する立て具本体と、
当該立て具本体に着脱可能で、釣竿の後端部と先端部の間の適宜箇所を保持するための中間部保持具と、
上記立て具本体に着脱可能で、釣竿の後端部を保持するための端部保持具と、
を備えており、
釣用発信機用の取付台具が着脱可能に取り付けてあることを特徴とする、
釣竿立て具である。
【００１０】
第２の発明にあっては、
所要長さを有する立て具本体と、当該立て具本体に着脱可能で、釣竿の後端部と先端部の間の適宜箇所を保持するための中間保持具と、上記立て具本体に着脱可能で、釣竿の後端部を保持するための端部保持具とを備えており、上記中間部保持具と端部保持具は、それぞれ釣竿立て具構成部材と釣竿保持具を備えている釣竿立て具に使用される釣竿立て具構成部材であって、
上記立て具本体の所要箇所に固定するための手段と、
上記釣竿保持具を着脱可能に取り付けるための手段と、
釣用発信機用の取付台具を着脱可能に取り付けるための手段と、
を備えていることを特徴とする、
釣竿立て具構成部材である。
【００１１】
釣竿立て具構成部材の材質は、十分な強度を有するものであれば特に限定するものではないが、例えば、アルミニウムや鉄等の各種金属（合金を含む）、各種プラスチックや木、竹あるいはそれらの複合体等である。
立て具本体の形状は特に限定するものではなく、山形鋼や棒状体の他、公知の各種形状のものが使用できる。また、その材質も特に限定されるものではなく、各種金属の他、各種プラスチック、木、竹等が使用できる。
【００１２】
（作用）
（第１の発明）
本発明に係る釣竿立て具は、所要長さを有する立て具本体と、立て具本体に着脱可能で、釣竿の後端部と先端部の間の適宜箇所を保持するための中間部保持具と、立て具本体に着脱可能で、釣竿の後端部を保持するための端部保持具とを備えているので、立て具本体に取り付けられる中間部保持具と端部保持具の取付位置の調整が可能である。
従って、釣竿の基端部を受ける端部保持具と中間部を受ける中間部保持具の間隔を様々に設定することができるので、釣竿の大きさや種類等に合わせて最も好適な間隔で釣竿を受けることができ、魚が掛かって釣竿に応力が発生したときにも、各保持具と接触する部分に無理な力がかかりにくく、釣竿が傷付くことや破損することを防止できる。
また、釣用発信機用の取付台具が着脱可能に取り付けてあるので、釣用発信機は釣竿立て具に取り付ければよく、釣竿に取り付ける必要はない。
従って、魚が掛かったときなど釣竿を釣竿立て具から取り外して操作すれば、釣用発信機が邪魔にならず、作業性を損なうことがない。また、釣用発信機を使用する釣りにおいて、釣用発信機を釣竿に直接取り付ける場合と相違して、釣竿に加工を施したり取着補助具を取り付ける必要はなく、これにより釣竿に傷が付くこともない。
【００１３】
（第２の発明）
本発明に係る釣竿立て具構成部材は、所要長さを有する立て具本体と、立て具本体に着脱可能で、釣竿の後端部と先端部の間の適宜箇所を保持するための中間保持具と、立て具本体に着脱可能で、釣竿の後端部を保持するための端部保持具とを備えており、中間部保持具と端部保持具は、それぞれ釣竿立て具構成部材と釣竿保持具を備えている釣竿立て具に使用される釣竿立て具構成部材であって、立て具本体の所要箇所に固定するための手段と、釣竿保持具を着脱可能に取り付けるための手段を備えているので、例えば釣竿保持具とともに山形鋼や棒状体等の立て具本体となる部材の所要箇所に取り付けることにより、釣竿立て具を容易に組み立てることができる。
また、立て具本体に取り付けられる釣竿立て具構成部材は取付位置の調整が可能である。従って、釣竿立て具構成部材に取り付けられる釣竿保持具の位置及び間隔を様々に設定することができるので、釣竿の大きさや種類等に合わせて最も好適な間隔で釣竿を受けることができ、魚が掛かって釣竿に応力が発生したときにも、各保持具と接触する部分に無理な力がかかりにくく、釣竿が傷付くことや破損することを防止できる。
また、釣用発信機用の取付台具を着脱可能に取り付けるための手段を備えているので、釣用発信機は釣竿立て具構成部材に取り付ければよく、釣竿に取り付ける必要はない。従って、魚が掛かったときなど釣竿を釣竿立て具から取り外して操作すれば、釣用発信機が邪魔にならず、作業性を損なうことがない。また、釣用発信機を使用する釣りにおいて、釣用発信機を釣竿に直接取り付ける場合と相違して、釣竿に加工を施したり取着補助具を取り付ける必要はなく、これにより釣竿に傷が付くこともない。
【００１４】
【発明の実施の形態】
本発明の実施の形態を図面に基づき更に詳細に説明する。
図１は設置状態を表した本発明に係る釣竿立て具の第１の実施の形態を示す説明図、
図２は図１に示す釣竿立て具の前部竿受け部の説明図、
図３は図１に示す釣竿立て具の後部竿受け部の説明図、
図４は釣竿立て具に使用される釣竿立て具構成部材の正面図、
図５は釣竿立て具に使用される釣竿立て具構成部材の右側面図、
図６は釣竿立て具に使用される釣竿立て具構成部材の斜視図、
図７は釣竿立て具構成部材に取り付けられる前部釣竿保持具の構造を示し、（ａ）は正面図、（ｂ）は右側面図、
図８は釣竿立て具構成部材に取り付けられる後部釣竿保持具の構造を示し、（ａ）は正面図、（ｂ）は右側面図、
図９は釣用発信機を釣竿に取り付ける構造を示す説明図、
図１０は釣竿立て具構成部材に取り付けられる支脚の回動調整部の構造を示し、（ａ）は先端部材の斜視図、（ｂ）は脚接続部材の斜視図である。
【００１５】
釣竿立て具Ａ１は、鉄製の山形鋼で形成された所要長さの立て具本体１を有している。釣竿立て具Ａ１は、後述するように支脚を有するので、コンクリート面等、立て具本体の刺し込みや打ち込みが利かない設置箇所での設置に特に有用である。なお、表面が土の地面に設置するときに固定をより確実にするため、立て具本体１の後端側は尖らせて刺し込みや打ち込みを可能にしてもよい。
立て具本体１の前端部、中間部及び後端部寄りにはそれぞれ釣竿立て具構成部材２が固定してある。
なお、前端部と中間部に固定してある釣竿立て具構成部材２は、それぞれに取り付けられる後述する前部釣竿保持具３、後部釣竿保持具４とともに、中間部保持具と端部保持具を構成する。
各釣竿立て具構成部材２は立て具本体１の長さ方向に沿って移動調整が可能で、立て具本体１の任意の位置に固定できる。
【００１６】
図４、図５、図６を主に参照して釣竿立て具構成部材の構造を説明する。
釣竿立て具構成部材２はプラスチックで形成されている。釣竿立て具構成部材２は前後方向に所要の厚さを有し、上面にほぼＶ字状の凹部を有するブロック状である。
なお、場所を示す上下左右の表現については、正面図（図４に示す）を基準とするが、前部は奥行き方向における手前側（図５で左側）を示し、後部は奥側（図５で右側）を示す。
【００１７】
釣竿立て具構成部材２の上面には、斜面角が９０°に設定されたほぼＶ字状（実際は中間部が欠如している）の凹部２０を有している。釣竿立て具構成部材２の上部側には、傾斜角が凹部２０と同じに形成された山形鋼用の本体挿通部２１が前面２２と後面２３を貫通して設けてある。
【００１８】
本体挿通部２１の中央部の一部は、所要幅で切り欠かれ上部の凹部２０側へ開口してある。この切欠部分は、後述する釣竿保持具３、４を着脱可能に装着する装着部２８となっている。装着部２８を構成する二箇所の内端面２８０は、全面が凹部２０上面と直角になるように設けてある（図４、図６参照）。
釣竿立て具構成部材２の両側上端部には、凹部２０上面と平行な斜天面２９０が設けてある。斜天面２９０には、凹部２０に貫通するネジ孔２９が設けてある。
【００１９】
釣竿立て具構成部材２の前後の厚さ方向のほぼ中間部分には、下部側を切り欠いて装着部２４が設けてある。装着部２４の斜天面２４０は左右両側に上記本体挿通部２１と平行な斜面を有している。装着部２４は左右両側の上部が後部へ向けやや広げて形成してある。斜天面２４０には、本体挿通部２１まで貫通したネジ孔２４１が設けてある。
【００２０】
釣竿立て具構成部材２には、装着部２４を設けることにより、前部材２５と後部材２６が形成されている。前部材２５は後部材２６よりやや薄く形成してある（図５、図６参照）。
釣竿立て具構成部材２には、正面から見て下側中央部に前部材２５と後部材２６にかけて貫通した本体用挿通部２７が設けてある。
【００２１】
前部材２５の下部の左右両側には、前後面を貫通したネジ孔２５０が設けてある。また、後部材２６には、上下方向の中間部に左右方向に貫通した挿着孔２６０が水平に設けてある。後部材２６には、後面２３から挿着孔２６０へ貫通したネジ孔２６１が左右両側の二箇所に設けてある。
挿着孔２６０の下方には、後部材２６を左右方向に貫通（中間部は本体用挿通部２７で中断する）したネジ孔２６２が水平に設けてある。
【００２２】
なお、上記ネジ孔２９（釣竿保持具用）、２４１（山形鋼状の立て具本体用）、２６１（取付台具用）、２６２（丸棒状の立て具本体用）には、予め止めネジ（六角レンチで回す全埋没タイプのもの：図示省略）がねじ込まれており、必要に応じて締め付けられる。
また、各釣竿立て具構成部材２の立て具本体１への固定は、山形鋼で形成されている立て具本体１に本体用挿通部２１を嵌め入れて各ネジ孔２４１にねじ込まれた止めネジを締め付けることにより行われている。
【００２３】
図７を主に参照して釣竿立て具構成部材に取り付けられる前部釣竿保持具の構造を説明する。
前部釣竿保持具３は合成樹脂でＵ字状に形成したもので、釣竿の中間部の適宜箇所を受けるものである。なお、前部釣竿保持具３はＶ字状に形成してもよい。
前部釣竿保持具３の下部両側には、釣竿立て具構成部材２の凹部２０上面と当接する当接面３０が前後方向の全長にわたり設けてある。また、前部釣竿保持具３の底部両側には、釣竿立て具構成部材２の装着部２８の内端面２８０に当接係合する係合面３１が全長にわたり設けてある。
【００２４】
図８を主に参照して釣竿立て具構成部材に取り付けられる後部釣竿保持具の構造を説明する。
後部釣竿保持具４は後部側が封鎖された有底円筒状で、釣竿の後端部分を受けるものである。後部釣竿保持具４の下部両側には、上記前部釣竿保持具３と同様に釣竿立て具構成部材２の凹部２０上面と当接する当接面４０が長手方向の全長にわたり設けてある。また、同じく後部釣竿保持具４の底部両側には、釣竿立て具構成部材２の装着部２８の内端面２８０に当接する係合面４１が全長にわたり設けてある。
また、後部釣竿保持具４の底部には、二箇所に上下面を貫通したネジ孔４２が設けてある。ネジ孔４２には、予め止めネジ（上記ネジ孔２９、２４１、２６１にねじ込まれている止めネジと同様のもの：図示省略）がねじ込まれており、釣竿８の基端部を固定する場合に締め付けられる。
【００２５】
前部側の釣竿立て具構成部材２には、釣用発信機５を取り付けるための取付台具６と、支脚７が取り付けてある。
取付台具６は、平板状の底板の側縁部に四枚の側板が立ち上げて設けてある上部が開口したボックス６０を有している。ボックス６０の底部には、丸棒で形成されたＬ型の腕部材６１が固着してある。
【００２６】
取付台具６は腕部材６１の先部を釣竿立て具構成部材２の挿着孔２６０に挿通させ、ネジ孔２６１にねじ込まれた止めネジ（図示省略）によって適当な位置で固定されている。そして、取付台具６のボックス６０には釣用発信機５が嵌め込まれ、簡易的に固定される。
なお、腕部材６１は挿着孔２６０の両方の孔口からそれぞれ挿入可能で、取付台具６は釣竿立て具構成部材２の左右どちら側にも取り付けることができる。従って、釣用発信機５も使用者の好みや使い勝手の善し悪しに応じて左右どちら側にも取り付けることができる。
【００２７】
図１、図２及び図１０を参照して支脚の構造を説明する。
支脚７は、釣竿立て具構成部材２の装着部２４（図５、図６参照）のネジ孔２５０に対応する二箇所に装着されている。支脚７は、図１０（ａ）に示す先端部材７０と図１０（ｂ）に示す脚接続部材７１及び脚接続部材７１に接続される脚７２を備えている。
脚７２は入子構造で、伸縮調整が可能である。
【００２８】
先端部材７０は、装着部２４に嵌め入れられる装着体７３を有している。装着体７３の先端部には、装着部２４の斜天面２４０に当接する当接面７３０が斜めに設けてある。また、装着体７３の中央部には、厚さ方向に貫通して挿通孔７３１が設けてある。なお、挿通孔７３１はネジ孔でもよい。
装着体７３の一端側には締着体７４が設けてある。締着体７４の中央部には厚さ方向に貫通してネジ孔７４０が設けてあり、その内面側には内面より突出して放射方向の歯を円環状に配した噛み合い部７４１が設けてある。
【００２９】
脚接続部材７１は、締着体７５を有している。締着体７５の中央部には厚さ方向に貫通してネジ孔７５０が設けてあり、その内面側には内面より突出しないようにして（歯の峰部が内面と面一）放射方向の歯を円環状に配した噛み合い部７５１が設けてある。締着体７５の一端側には接続体７６が設けてある。接続体７６の側面には、脚７２のパイプ状の基端部を固定するためのネジをねじ込むネジ孔７６０が設けてある。
【００３０】
先端部材７０と脚接続部材７１は図２に示すように、噛み合い部７４１、７５１を合わせ、締着体７５側から固定ネジ７７をねじ込んで所要角度で締め付け固定される。この構造によれば、噛み合い部７４１、７５１の歯が噛み合っているので、固定ネジ７７の締め付けをそれ程強くしなくても固定力が強い。
そして、二本の支脚７は、図２に示すように先端部材７０の当接面７３０を釣竿立て具構成部材２の装着部２４の斜天面２４０に当接させて角度を固定し、固定ネジ７８（図１に図示、図２では省略）によって「ハ」状に固定される。
【００３１】
（作用）
図１ないし図１０を参照して、釣竿立て具Ａ１の作用を説明する。
釣竿８を釣竿立て具Ａ１に取り付ける手順は次のとおりである。
まず、釣竿８の基端部に後部釣竿保持具４を嵌め込み、止めネジにより締め付け固定する。釣竿８の直径が小さ目であるときは、釣竿８と止めネジの間に金属板等を挟み込んで調整することもできる。釣竿８の基端部に取り付けられた後部釣竿保持具４を中間部の釣竿立て具構成部材２の装着部２８に嵌め込み、釣竿８のうち基端部より前方側を前部釣竿保持具３に載置する。
【００３２】
なお、各釣竿保持具３、４は釣竿立て具構成部材２に着脱可能であるので、様々なサイズの釣竿保持具を設定しておくことにより、必要に応じてサイズが異なる釣竿保持具に取り替えることが可能であり、釣竿８の大きさや種類の違いに対応したより確実な保持ができる。
また、実用的には、余分に取り付けた釣竿立て具構成部材２に、釣竿保持具の代わりに浮きや糸等の小物を入れたり餌を入れたりする収容箱を取り付けるというような使い方もできる。
【００３３】
そして、更にネジ孔２９にねじ込んである止めネジ（図示省略）を締め付けて後部釣竿保持具４を釣竿立て具構成部材２に固定し、釣竿８を取り付ける。なお、前部釣竿保持具３は、ネジ孔２９にねじ込んである止めネジで釣竿立て具構成部材２に予め固定されている。
次に、魚が掛かったら報知信号を発信するように釣用発信機５を釣竿８に取り付ける。取り付けの具体的な構造を図９を参照して説明する。
まず、釣竿８に設けてあるスピニングリール８０から引き出した釣糸８１を折り返し部材８２で折り返し、釣用発信機５のトリガーを構成するフック８３に掛ける。そして、魚が掛かって釣糸８１に張力がかかると、フック８３が引かれ、釣用発信機５から信号が発信されて使用者に報知する。
【００３４】
釣竿立て具Ａ１を使用することによって、釣用発信機５は従来のように釣竿８に直接取り付ける必要はない。従って、魚が掛かったときなど、釣竿８を釣竿立て具Ａ１から取り外して操作する際に釣用発信機５が邪魔にならず、作業性を損なうことがない。また、釣用発信機５を取り付けるために釣竿８に加工を施したり取着補助具を取り付ける必要がなく、これにより傷が付くこともない。
また、釣竿８は後部釣竿保持具４によって釣竿立て具Ａ１に確実に固定されるので、釣竿８が風によって動いたりガタついたりあるいは回転したりしにくい。
従って、釣用発信機５と釣竿８と相対的な位置がずれにくく、微妙な感度で調整される釣用発信機５の調整が狂ってしまうことがない。従って、釣用発信機５の感度が安定し、誤作動が起こりにくくなる。
【００３５】
釣竿立て具Ａ１は支脚７の脚７２の先端と立て具本体１の後端によって三点支持されることにより、自立性を有しているので、例えばコンクリート面上にも設置することができる。
立て具本体１の中間部に固定されている後部釣竿保持具４を備えた釣竿立て具構成部材２の挿通孔２６０に、所要長さの丸棒９を挿通する。また、立て具本体１の後端部寄りに固定されている釣竿立て具構成部材２にも同様に丸棒９を挿通する。そして、中間部の丸棒９の両側には、砂袋９０をおもりとして吊下げる。
更に、後端部寄りの丸棒９の両側に、砂袋９１をおもりとして乗せる。これによって、釣竿立て具Ａ１がより安定し、魚が掛かって釣竿８が引かれたときにも倒れにくい。
【００３６】
また、前部釣竿保持具３を備えた釣竿立て具構成部材２と後部釣竿保持具４を備えた釣竿立て具構成部材２とは、立て具本体１に沿って移動可能で、間隔を調整することができる。
従って、釣竿８の大きさや種類等に合わせて最も好適な間隔で釣竿８を受けることができ、魚が掛かって釣竿８に応力が発生したときにも、前部釣竿保持具３及び後部釣竿保持具４と接触する部分に無理な力がかかりにくく、釣竿８が傷付いたり破損することを防止できる。
更には、釣竿立て具Ａ１の安定した設置が可能となるので、釣糸がリールから全部送り出されたときに、釣竿立て具Ａ１が倒れたり、釣竿８が魚によって持って行かれることも防止できる。
【００３７】
釣用発信機５を取り付ける取付台具としては、上記構造のもの（ボックス状もの）に限定されるものではない。例えば、1.円管状体に丸棒で形成されたＬ型の腕部材が固着してあり、釣用発信機はクリップを備えた構造で、このクリップで円管状体を挟むことによって固定されるようにしたもの、2.上記した1.の円管状体にリールシートを備え、釣用発信機にはリールシートに装着可能な部材が設けてあるもの、3.四角形の平板に腕部材が固着してあり、釣用発信機を面ファスナーで取り付けるようにしたもの等がある。
【００３８】
釣竿立て具Ａ１は、上記した設置方法以外に、例えば支脚７を使用しないで立て具本体１を地面に突き刺したり、支脚７を使用して更に立て具本体１を地面に突き刺す等、設置箇所の自然条件に合わせて設置することができる。
また、本実施の形態では立て具本体として山形鋼で形成された立て具本体１を使用したが、図２、図３に示すように本体用挿通部２７に丸棒状の立て具本体１ａ（仮想線で図示）を装着することもできる。立て具本体１ａは、その形状により、特に端部を尖らせないでも地面に容易に突き刺すことができるので使いやすく、かつ安全性も高い。
なお、脚接続部材７１に接続される脚７２は、固定ネジ７７を緩め、立て具本体１側へ回動させて立て具本体１に沿わせるようにして、支脚７を釣竿立て具構成部材２に装着した状態のままで折り畳むことができる。
【００３９】
図１１は釣竿立て具構成部材に取り付けられる後部釣竿保持具の他の構造を示し、（ａ）は正面図、（ｂ）は右側面図である。なお、図面において後部釣竿保持具４と同一または同等箇所には同一の符号を付している。
後部釣竿保持具４ａは、当接面４０と係合面４１が後部側の約２／３の部分に設けられており、前部側の一部には設けられていない。これにより、後部釣竿保持具４ａの下部両側には段部４３が設けられている。また、下部側の係合面４１は当接面４０よりやや短く形成してある。
【００４０】
後部釣竿保持具４ａによれば、段部４３と釣竿立て具構成部材２の前面２２が当接することにより、自然に後部釣竿保持具４ａの位置が決まるので使いやすい。また、装着の際に、まず当接面４０の後端部を凹部２０に当接すれば位置がまるので、後はスライドさせれば、係合面４１を装着部２８の内端面２８０に簡単に係合させて装着することができる。
【００４１】
図１２は本発明に係る釣竿立て具の第２の実施の形態を示す説明図、
図１３は図１２に示す釣竿立て具を折り畳んだ状態を示す説明図である。
なお、図面において上記釣竿立て具Ａ１と同一または同等箇所には同一の符号を付して示し、構造について重複する部分については説明を省略する。
【００４２】
釣竿立て具Ａ２は、上記釣竿立て具Ａ１の支脚７を一本ずつにして、前部釣竿保持具３を備えた釣竿立て具構成部材２と後部釣竿保持具４を備えた釣竿立て具構成部材２とを可折連結部材１０で連結した構造である。
可折連結部材１０は、同一形状の構成体１０１、１０２を備えている。構成体１０１、１０２の一端側には、上記支脚７の締着体７４、７５と同様の構造の締着体１００が設けてある。また、構成体１０１、１０２の他端側には、取付ボルト１０３が軸ピン１０４によって回動可能に取り付けてある。取付ボルト１０３は、釣竿立て具構成部材２のネジ孔２６２にねじ込まれる。
【００４３】
そして、構成体１０１、１０２は取付ボルト１０３をネジ孔２６２にねじ込んだ後、固定ネジ１０５により締着体１００同士を上記締着体７４、７５と同様にして締め付け固定する。
立て具本体１の後端部寄りに取り付けてある釣竿立て具構成部材２間には、挿通孔２６０に挿通して丸棒９が装着してある。丸棒９には、砂袋９１がおもりとして乗せてある。
【００４４】
釣竿立て具Ａ２によれば、支脚７の間隔が広くなり四点支持となるので、更に安定し、釣竿８を二本保持させても支障はない。
また、設置場所を移動する等、釣竿立て具Ａ２を分解しないで持ち運ぶ場合には、固定ネジ７７を緩めて脚７２を折り、固定ネジ１０５を緩めて構成体１０１、１０２を折れば、図１３に示すように全体を折り畳むことができる。
【００４５】
図１４は前部釣竿保持具と釣竿立て具構成部材の他の実施の形態を示す分解斜視図、
図１５は図１４に示す前部釣竿保持具と釣竿立て具構成部材を組み合わせた状態を示す斜視図である。
なお、前部釣竿保持具３ａと釣竿立て具構成部材２ａは、それぞれ上記前部釣竿保持具３と釣竿立て具構成部材２と共通する構造を有しているので、同等箇所には同一の符号を付して説明を省略し、構造が異なる点についてのみ説明する。
これについては、後述する後部釣竿保持具４ａ、前部釣竿保持具３ｂ及び前部釣竿保持具３ｃも同様である。
【００４６】
まず、釣竿立て具構成部材２ａの構造を説明する。
釣竿立て具構成部材２ａは、両側の斜天面２４０より上方に係合凹部２６３が設けてある。本体用挿通部２７ａは、上記釣竿立て具構成部材２の本体用挿通部２７と相違して円形の孔である。
また、上記釣竿立て具構成部材２に設けてある、釣竿保持具を固定するための止めネジを螺合するネジ孔２９は、釣竿立て具構成部材２ａでは不要であるので設けられていない。
【００４７】
次に、前部釣竿保持具３ａの構造を説明する。
前部釣竿保持具３ａの本体部の内底面３５は、上記前部釣竿保持具３の内底面のような円弧状の面ではなく、「Ｖ」状の斜面である。
前部釣竿保持具３ａの本体の両側部には、軸受部３２が設けてある。軸受部３２には挟持部材３３が回動可能に取り付けてある。挟持部材３３は中央部分をピンにより軸着してある。
挟持部材３３の下端部には、係合爪３３０が内方へ突出して設けてある。また、挟持部材３３の上端側は、指で操作するためのツマミ部３３１である。
各挟持部材３３は、ねじりコイルバネ３４によって、係合爪３３０側が狭まる方向へ付勢してある。
【００４８】
前部釣竿保持具３ａは、図２に示す前部釣竿保持具３の場合と同様に釣竿立て具構成部材２ａに嵌め入れられ、各挟持部材３３の係合爪３３０を係合凹部２６３に係合させて固定される。
前部釣竿保持具３ａを取り外す場合は、各ツマミ部３３１を狭めるように摘んで係合爪３３０を開けばよく、着脱は簡単にできる。
また、本体部の内底面３５が「Ｖ」状の斜面であるので、特に固定具を使用しないでも、載置される釣竿が転がらないで安定する。従って、釣用発信機を使用するとき等には、調整がずれにくい利点がある。
なお、その他の作用については、上記前部釣竿保持具３や釣竿立て具構成部材２と同様であるので、説明は省略する。
【００４９】
図１６は後部釣竿保持具と釣竿立て具構成部材の他の実施の形態を示す分解斜視図、
図１７は図１６に示す前部釣竿保持具と釣竿立て具構成部材を組み合わせた状態を示す斜視図である。
後部釣竿保持具４ａの本体の両側部には、軸受部４２が設けてある。軸受部４２には挟持部材４３が回動可能に取り付けてある。挟持部材４３は中央部分をピンにより軸着してある。
挟持部材４３の下端部には、係合爪４３０が内方へ突出して設けてある。また、挟持部材４３の上端側は、指で操作するためのツマミ部４３１である。
各挟持部材４３は、ねじりコイルバネ４４によって、係合爪４３０側が狭まる方向へ付勢してある。
なお、符号４５は、各係合爪４３０を十分に開くためにツマミ部４３１を収容するための逃げ凹部である。
【００５０】
後部釣竿保持具４ａは、前部釣竿保持具３ａの場合と同様に釣竿立て具構成部材２ａに嵌め入れ、各挟持部材４３の係合爪４３０を係合凹部２６３に係合させて固定される。
なお、その他の作用については、上記後部釣竿保持具４や釣竿立て具構成部材２と同様であるので、説明は省略する。
【００５１】
図１８は前部釣竿保持具の他の実施の形態を示す分解斜視図、
図１９は図１８に示す前部釣竿保持具を釣竿立て具構成部材に取り付けた状態を示す斜視図である。
前部釣竿保持具３ｂは、本体の両側に接着基板３６を介して挟持部材３７を取り付けた構造である。接着基板３６は挟持部材３７と接合部３８により接合してある。挟持部材３７の上下端側にはツマミ部３７１と係合爪３７０が設けてある。挟持部材３７は、図１８に示すように係合爪３７０側が狭まった状態で固定してあり、ツマミ部４３１側を摘んで狭めれば、係合爪４３０側を接合部３８の弾性によって開くことができる。
【００５２】
前部釣竿保持具３ｂは、前部釣竿保持具３ａの場合と同様に釣竿立て具構成部材２ａに嵌め入れ、各挟持部材３７の係合爪３７０を係合凹部２６３に係合させて固定される。
なお、その他の作用については、上記前部釣竿保持具３や釣竿立て具構成部材２と同様であるので、説明は省略する。
【００５３】
図２０は前部釣竿保持具の他の実施の形態を示す分解斜視図、
図２１は図２０に示す前部釣竿保持具を釣竿立て具構成部材に取り付けた状態を示す斜視図である。
前部竿受け具３ｃは、基体３００を備えている。基体３００の上部の両側には軸受部３０１が設けてある。各軸受部３０１には、挟持部材３９が回動可能に取り付けてある。挟持部材３９は中央部分をピンにより軸着してある。
挟持部材３９の上下端側にはツマミ部３９１と係合爪３９０が設けてある。
また、各挟持部材３９は、上記挟持部材３３と同様にねじりコイルバネ（図示省略）により付勢してある。
【００５４】
前部釣竿保持具３ｃは、前部釣竿保持具３ａの場合と同様に釣竿立て具構成部材２ａに嵌め入れ、各挟持部材３９の係合爪３９０を係合凹部２６３に係合させて固定される。また、各挟持部材３９は、本体の側部を構成し、釣竿を保持する部材としても作用する。
なお、その他の作用については、上記前部釣竿保持具３や釣竿立て具構成部材２と同様であるので、説明は省略する。
【００５５】
本明細書で使用している用語と表現はあくまで説明上のものであって、限定的なものではなく、上記用語、表現と等価の用語、表現を除外するものではない。
また、本発明は図示の実施の形態に限定されるものではなく、技術思想の範囲内において種々の変形が可能である。
【００５６】
【発明の効果】
本発明は上記構成を備え、次の効果を有する。
（ａ）本発明に係る釣竿立て具は、所要長さを有する立て具本体と、立て具本体に着脱可能で、釣竿の後端部と先端部の間の適宜箇所を保持するための中間部保持具と、立て具本体に着脱可能で、釣竿の後端部を保持するための端部保持具とを備えているので、立て具本体に取り付けられる中間部保持具と端部保持具の取付位置の調整が可能である。
従って、釣竿の基端部を受ける端部保持具と中間部を受ける中間部保持具の間隔を様々に設定することができるので、釣竿の大きさや種類等に合わせて最も好適な間隔で釣竿を受けることができ、魚が掛かって釣竿に応力が発生したときにも、各保持具と接触する部分に無理な力がかかりにくく、釣竿が傷付くことや破損することを防止できる。
また、釣用発信機用の取付台具が着脱可能に取り付けてあるので、釣用発信機は釣竿立て具に取り付ければよく、釣竿に取り付ける必要はない。
従って、魚が掛かったときなど釣竿を釣竿立て具から取り外して操作すれば、釣用発信機が邪魔にならず、作業性を損なうことがない。また、釣用発信機を使用する釣りにおいて、釣用発信機を釣竿に直接取り付ける場合と相違して、釣竿に加工を施したり取着補助具を取り付ける必要はなく、これにより釣竿に傷が付くこともない。
【００５７】
（ｂ）本発明に係る釣竿立て具構成部材は、所要長さを有する立て具本体と、立て具本体に着脱可能で、釣竿の後端部と先端部の間の適宜箇所を保持するための中間保持具と、立て具本体に着脱可能で、釣竿の後端部を保持するための端部保持具とを備えており、中間部保持具と端部保持具は、それぞれ釣竿立て具構成部材と釣竿保持具を備えている釣竿立て具に使用される釣竿立て具構成部材であって、立て具本体の所要箇所に固定するための手段と、釣竿保持具を着脱可能に取り付けるための手段を備えているので、例えば釣竿保持具とともに山形鋼や棒状体等の立て具本体となる部材の所要箇所に取り付けることにより、釣竿立て具を容易に組み立てることができる。
また、立て具本体に取り付けられる釣竿立て具構成部材は取付位置の調整が可能である。従って、釣竿立て具構成部材に取り付けられる釣竿保持具の位置及び間隔を様々に設定することができるので、釣竿の大きさや種類等に合わせて最も好適な間隔で釣竿を受けることができ、魚が掛かって釣竿に応力が発生したときにも、各保持具と接触する部分に無理な力がかかりにくく、釣竿が傷付くことや破損することを防止できる。
さらに、釣用発信機用の取付台具を着脱可能に取り付けるための手段を備えているので、釣用発信機は釣竿立て具構成部材に取り付ければよく、釣竿に取り付ける必要はない。従って、魚が掛かったときなど釣竿を釣竿立て具から取り外して操作すれば、釣用発信機が邪魔にならず、作業性を損なうことがない。また、釣用発信機を使用する釣りにおいて、釣用発信機を釣竿に直接取り付ける場合と相違して、釣竿に加工を施したり取着補助具を取り付ける必要はなく、これにより釣竿に傷が付くこともない。
【図面の簡単な説明】
【図１】  設置状態を表した本発明に係る釣竿立て具の第１の実施の形態を示す説明図。
【図２】  図１に示す釣竿立て具の前部竿受け部の説明図。
【図３】  図１に示す釣竿立て具の後部竿受け部の説明図。
【図４】  釣竿立て具に使用される釣竿立て具構成部材の正面図。
【図５】  釣竿立て具に使用される釣竿立て具構成部材の右側面図。
【図６】  釣竿立て具に使用される釣竿立て具構成部材の斜視図。
【図７】  釣竿立て具構成部材に取り付けられる前部釣竿保持具の構造を示し、（ａ）は正面図、（ｂ）は右側面図。
【図８】  釣竿立て具構成部材に取り付けられる後部釣竿保持具の構造を示し、（ａ）は正面図、（ｂ）は右側面図。
【図９】  釣用発信機を釣竿に取り付ける構造を示す説明図。
【図１０】  釣竿立て具構成部材に取り付けられる支脚の回動調整部の構造を示し、（ａ）は先端部材の斜視図、（ｂ）は脚接続部材の斜視図。
【図１１】  釣竿立て具構成部材に取り付けられる後部釣竿保持具の他の構造を示し、（ａ）は正面図、（ｂ）は右側面図。
【図１２】  本発明に係る釣竿立て具の第２の実施の形態を示す説明図。
【図１３】  図１２に示す釣竿立て具を折り畳んだ状態を示す説明図。
【図１４】  前部釣竿保持具と釣竿立て具構成部材の他の実施の形態を示す分解斜視図。
【図１５】  図１４に示す前部釣竿保持具と釣竿立て具構成部材を組み合わせた状態を示す斜視図。
【図１６】  後部釣竿保持具と釣竿立て具構成部材の他の実施の形態を示す分解斜視図。
【図１７】  図１６に示す前部釣竿保持具と釣竿立て具構成部材を組み合わせた状態を示す斜視図。
【図１８】  前部釣竿保持具の他の実施の形態を示す分解斜視図。
【図１９】  図１６に示す前部釣竿保持具を釣竿立て具構成部材に取り付けた状態を示す斜視図。
【図２０】  前部釣竿保持具の他の実施の形態を示す分解斜視図。
【図２１】  図１６に示す前部釣竿保持具を釣竿立て具構成部材に取り付けた状態を示す斜視図。
【符号の説明】
Ａ１、Ａ２  釣竿立て具
１  立て具本体
１ａ  立て具本体
２  釣竿立て具構成部材
２０  凹部
２１  本体用挿通部
２２  前面
２３  後面
２４  装着部
２４０  斜天面
２４１  ネジ孔
２５  前部材
２５０  ネジ孔
２６  後部材
２６０  挿着孔
２６１  ネジ孔
２６２  ネジ孔
２７  本体用挿通部
２８  装着部
２８０  内端面
２９  ネジ孔
２９０  斜天面
３  前部釣竿保持具
３０  当接面
３１  係合面
４  後部釣竿保持具
４ａ  後部釣竿保持具
４０  当接面
４１  係合面
４２  ネジ孔
４３  段部
５  釣用発信機
６  取付台具
６０  ボックス
６１  腕部材
７  支脚
７０  先端部材
７１  脚接続部材
７２  脚
７３  装着体
７３０  当接面
７３１  挿通孔
７４  締着体
７４０  ネジ孔
７４１  噛み合い部
７５  締着体
７５０  ネジ孔
７５１  噛み合い部
７６  接続体
７６０  ネジ孔
７７  固定ネジ
７８  固定ネジ
８  釣竿
８０  スピニングリール
８１  釣糸
８２  折り返し部材
８３  フック
９  丸棒
９０、９１  砂袋
１０  可折連結部材
１０１、１０２  構成体
１００  締着体
１０３  取付ボルト
１０４  軸ピン
１０５  固定ネジ
２ａ  釣竿立て具構成部材
２６３  係合凹部
２７ａ  本体用挿通部
３ａ  前部釣竿保持具
３５  内底面
３２  軸受部
３３  挟持部材
３３０  係合爪
３３１  ツマミ部
３４  ねじりコイルバネ
４ａ  後部釣竿保持具
４２  軸受部
４３  挟持部材
４３０  係合爪
４３１  ツマミ部
４４  ねじりコイルバネ
４５  逃げ凹部
３ｂ  前部釣竿保持具
３６  接着基板
３７  挟持部材
３７０  係合爪
３７１  ツマミ部
３８  接合部
３ｃ  前部竿受け具
３００  基体
３０１  軸受部
３９  挟持部材
３９０  係合爪
３９１  ツマミ部
【図１】
0004480213.tif 000002
【図２】
0004480213.tif 000003
【図３】
0004480213.tif 000004
【図４】
0004480213.tif 000005
【図５】
0004480213.tif 000006
【図６】
0004480213.tif 000007
【図７】
0004480213.tif 000008
【図８】
0004480213.tif 000009
【図９】
0004480213.tif 000010
【図１０】
0004480213.tif 000011
【図１１】
0004480213.tif 000012
【図１２】
0004480213.tif 000013
【図１３】
0004480213.tif 000014
【図１４】
0004480213.tif 000015
【図１５】
0004480213.tif 000016
【図１６】
0004480213.tif 000017
【図１７】
0004480213.tif 000018
【図１８】
0004480213.tif 000019
【図１９】
0004480213.tif 000020
【図２０】
0004480213.tif 000021
【図２１】
0004480213.tif 000022